(57)【要約】【課題】簡易な構成でフルカットおよびハーフカットが可能な印刷テープカット装置、および、これを備えたテープ印刷装置を提供することを目的とする。【解決手段】印刷テープカット装置５０は、装置ケース３に形成したテープ排出口１１に臨み、印刷用の印刷テープＴを直行する方向からフルカットするフルカッタ刃５２０と、同様にテープ排出口１１に臨み、印刷用の印刷テープＴを直行する方向からハーフカットするハーフカッタ刃５３０と、フルカッタ刃５２０とハーフカッタ刃５３０とを印刷テープＴを挟んで対向させ、略直線状に配置して保持するカッタホルダ５１０と、カッタホルダ５１０をスライドさせるホルダ駆動部６００と、を有し、フルカッタ刃５２０およびハーフカッタ刃５３０は、カッタホルダ５１０がホルダ駆動部６００によりスライドすることに連動して印刷テープＴをフルカットおよびハーフカットの少なくとも一方の動作をする。【選択図】図３
2008194870.tif 000002
【特許請求の範囲】
【請求項１】
装置ケースに形成したテープ排出口に臨み、印刷用の印刷テープを直行する方向からフルカットするフルカッタ刃と、
同様に前記装置ケースに形成した前記テープ排出口に臨み、前記印刷用の印刷テープを直行する方向からハーフカットするハーフカッタ刃と、
前記フルカッタ刃と前記ハーフカッタ刃とを前記印刷テープを挟んで対向させ、略直線状に配置して保持するカッタホルダと、
前記カッタホルダをスライドさせるホルダ駆動部と、を有し、
前記フルカッタ刃および前記ハーフカッタ刃は、前記カッタホルダが前記ホルダ駆動部によりスライドすることに連動して前記印刷テープをフルカットおよびハーフカットの少なくとも一方の動作をすることを特徴とする印刷テープカット装置。
【請求項２】
請求項１に記載の印刷テープカット装置であって、
前記印刷テープは、裏面に粘着材層が設けられて前記印刷される記録テープと、前記粘着材層により貼付される剥離テープとから構成され、
前記フルカッタ刃は、前記剥離テープ側から前記印刷テープをフルカットすることを特徴とする印刷テープカット装置。
【請求項３】
請求項１または請求項２に記載の印刷テープカット装置であって、
前記カッタホルダは、切込み動作する前記フルカッタ刃に先行して前記印刷テープを押圧するフルカット用テープ押え部を有していることを特徴とする印刷テープカット装置。
【請求項４】
請求項１〜請求項３のいずれか一項に記載の印刷テープカット装置であって、
切込み動作する前記ハーフカッタ刃に対して略直行する方向に移動して前記ハーフカッタ刃を受けるハーフカッタ受部と、
前記切込み動作する前記フルカッタ刃に先行して前記印刷テープを前記ハーフカッタ受部との間で押圧するハーフカット用テープ押え部と、を有することを特徴とする印刷テープカット装置。
【請求項５】
請求項４に記載の印刷テープカット装置であって、
前記ハーフカッタ受部は、前記ハーフカッタ刃に略直行する方向に進退自在となり前記ハーフカッタ刃を受けるハーフカッタ受部材と、当該ハーフカッタ受部材を駆動する受部駆動部と、を有していることを特徴とする印刷テープカット装置。
【請求項６】
請求項１〜請求項５のいずれか一項に記載の印刷テープカット装置であって、
前記ホルダ駆動部は、駆動源となるホルダ駆動モータと、当該ホルダ駆動モータの動力を伝達する伝達ギヤ部と、当該伝達ギヤ部に接続して回転動作を前記カッタホルダのスライド動作に変換させるスライド変換部と、を有していることを特徴とする印刷テープカット装置。
【請求項７】
請求項６に記載の印刷テープカット装置であって、
前記伝達ギヤ部は、前記ホルダ駆動モータの正逆の回転動作に連動して動力伝達経路を切り替えるクラッチ部を有して前記スライド変換部に動力を伝達することを特徴とする印刷テープカット装置。
【請求項８】
請求項１〜請求項７のいずれか一項に記載の印刷テープカット装置と、
前記印刷テープをテープカートリッジに収容して装着するカートリッジ装着部と、
前記テープカートリッジから繰り出された前記印刷テープを送りながら印刷を行なう印刷機構と、を備えたことを特徴とするテープ印刷装置。
【発明の詳細な説明】
【技術分野】
【０００１】
本発明は、印刷用の印刷テープをカッタでカットする印刷テープカット装置およびこれを備えたテープ印刷装置に関するものである。
【背景技術】
【０００２】
従来、印刷用の印刷テープをカッタでカットする印刷テープカット装置として、ハサミ形式のフルカッタ刃やハーフカッタ刃などを別々のユニットとして構成している。また、特許文献１では、テープ切断装置（印刷テープカット装置）は、印刷用のテープ状部材（印刷テープ）を直行する方向から切断するスライドカッタと、スライドカッタを切断動作させるカッタ機構部とを備え、カッタ機構部は、スライドカッタを先方から手前にスライドさせてテープ状部材（印刷テープ）を引き切りで切断することが開示されている。
【０００３】
【特許文献１】特開２００３−２３７１５５号公報
【発明の開示】
【発明が解決しようとする課題】
【０００４】
しかし、ハサミ形式のフルカッタ刃やハーフカッタ刃などを別々のユニットとして構成することは、構造が複雑となる。また、特許文献１では、印刷テープをフルカットのみ行なうテープ切断装置を開示しており、ハーフカットすることは開示されていない。
【０００５】
本発明は、上述した課題に鑑みてなされたものであり、簡易な構成でフルカットおよびハーフカットが可能な印刷テープカット装置、および、これを備えたテープ印刷装置を提供することを目的とする。
【課題を解決するための手段】
【０００６】
上述した目的を達成するために、本発明の印刷テープカット装置は、装置ケースに形成したテープ排出口に臨み、印刷用の印刷テープを直行する方向からフルカットするフルカッタ刃と、同様に装置ケースに形成したテープ排出口に臨み、印刷用の印刷テープを直行する方向からハーフカットするハーフカッタ刃と、フルカッタ刃とハーフカッタ刃とを印刷テープを挟んで対向させ、略直線状に配置して保持するカッタホルダと、カッタホルダをスライドさせるホルダ駆動部と、を有し、フルカッタ刃およびハーフカッタ刃は、カッタホルダがホルダ駆動部によりスライドすることに連動して印刷テープをフルカットおよびハーフカットの少なくとも一方の動作をすることを特徴とする。
【０００７】
このような印刷テープカット装置によれば、カッタホルダは、フルカッタ刃とハーフカッタ刃とを印刷テープを挟んで対向させて略直線状に配置して保持している。そして、ホルダ駆動部によりカッタホルダがスライドする。このカッタホルダのスライドに連動してフルカッタ刃は印刷用の印刷テープを直行する方向からフルカットする。また、カッタホルダのスライドに連動してハーフカッタ刃は印刷用の印刷テープを直行する方向からハーフカットする。この構造と動作により、簡易な構成でフルカットおよびハーフカットの少なくとも一方の動作が可能な印刷テープカット装置が実現できる。また、フルカッタ刃のみならずハーフカッタ刃も印刷テープを挟んで対向させて略直線状に配置してカッタホルダに保持しているため、従来のハサミ形式のフルカッタ刃やハーフカッタ刃などを別々のユニットとして用いる構成に比較して、コンパクトな構成となるため、省スペース化が実現できる。
【０００８】
また、印刷テープカット装置において、印刷テープは、裏面に粘着材層が設けられて印刷される記録テープと、粘着材層により貼付される剥離テープとから構成され、フルカッタ刃は、剥離テープ側から印刷テープをフルカットすることが好ましい。
【０００９】
このような印刷テープカット装置によれば、フルカッタ刃は、剥離テープ側から印刷テープをフルカットできる構成とすることにより、フルカッタ刃に対向するハーフカッタ刃は、記録テープ側からハーフカットできる構成とすることが可能となる。
【００１０】
また、印刷テープカット装置において、カッタホルダは、切込み動作するフルカッタ刃に先行して、印刷テープを押圧するフルカット用テープ押え部を有していることが好ましい。
【００１１】
このような印刷テープカット装置によれば、フルカット用テープ押え部がフルカッタ刃に先行して、印刷テープを押圧するため、フルカッタ刃は安定した切込み動作およびフルカットを行なうことができる。
【００１２】
また、印刷テープカット装置において、切込み動作するハーフカッタ刃に対して略直行する方向に移動してハーフカッタ刃を受けるハーフカッタ受部と、切込み動作するハーフカッタ刃に先行して、印刷テープをハーフカッタ受部との間で押圧するハーフカット用テープ押え部と、を有することが好ましい。
【００１３】
このような印刷テープカット装置によれば、ハーフカッタ受部は、ハーフカッタ刃に略直行する方向に移動し、また、ハーフカット用テープ押え部は、ハーフカッタ刃の切込み動作に先行して印刷テープをハーフカッタ受部との間で押圧することにより、ハーフカッタ刃は安定した切込み動作およびハーフカットを行なうことができる。
【００１４】
また、印刷テープカット装置において、ハーフカッタ受部は、ハーフカッタ刃に略直行する方向に進退自在となりハーフカッタ刃を受けるハーフカッタ受部材と、ハーフカッタ受部材を駆動する受部駆動部と、を有していることが好ましい。
【００１５】
このような印刷テープカット装置によれば、ハーフカッタ受部は、受部駆動部により、ハーフカッタ受部材をハーフカッタ刃に略直行する方向に進退自在とするため、ハーフカッタ刃がハーフカットする場合には、ハーフカッタ受部材が進出して受部としての動作を行なう。そして、フルカッタ刃がフルカットする場合には、ハーフカッタ受部材は後退することで、フルカット刃の動作に影響を与えないようにすることができる。
【００１６】
また、印刷テープカット装置において、ホルダ駆動部は、駆動源となるホルダ駆動モータと、ホルダ駆動モータの動力を伝達する伝達ギヤ部と、伝達ギヤ部に接続してホルダ駆動モータの回転動作をカッタホルダのスライド動作に変換させるスライド変換部と、を有していることが好ましい。
【００１７】
このような印刷テープカット装置によれば、ホルダ駆動部は、ホルダ駆動モータ、伝達ギヤ部およびスライド変換部という簡易な構成で、カッタホルダをスライドさせることができる。
【００１８】
また、印刷テープカット装置において、伝達ギヤ部は、ホルダ駆動モータの正逆の回転動作に連動して動力伝達経路を切り替えるクラッチ部を有してスライド変換部に動力を伝達することが好ましい。
【００１９】
このような印刷テープカット装置によれば、伝達ギヤ部は、クラッチ部が、ホルダ駆動モータの正逆の回転動作に連動して動力伝達経路を切り替えるため、ホルダ駆動モータを１つ使用することで、カッタホルダをスライドさせることができ、印刷テープカット装置の小型化および低コスト化が図れる。
【００２０】
また、上述した目的を達成するために、本発明のテープ印刷装置は、上述したいずれかの印刷テープカット装置と、印刷テープをテープカートリッジに収容して装着するカートリッジ装着部と、テープカートリッジから繰り出された印刷テープを送りながら印刷を行なう印刷機構と、を備えたことを特徴とする。
【００２１】
このようなテープ印刷装置によれば、フルカットおよびハーフカットが簡易な構成で可能なテープ印刷装置が実現できる。また、フルカッタ刃のみならずハーフカッタ刃もカッタホルダに保持した印刷テープカット装置により、従来のハサミ形式のフルカッタ刃やハーフカッタ刃などを用いる構成に比較して、コンパクトな構成となるため、省スペース化が可能なテープ印刷装置が実現できる。
【発明を実施するための最良の形態】
【００２２】
以下、本発明の実施形態を図面に基づいて説明する。
（実施形態）
【００２３】
図１は、本発明の実施形態に係るテープ印刷装置の斜視図である。また、図２は、蓋を開いた状態のテープ印刷装置の斜視図である。なお、図２は、テープ印刷装置１の開閉蓋８を開放し、テープカートリッジＣが非装着の状態を示している。図１、図２を参照して、テープ印刷装置１を説明する。
【００２４】
テープ印刷装置１は、印刷テープＴに対して、文字印刷を行なう装置本体２と、印刷テープＴおよびインクリボンＲを収容して装置本体２に着脱自在に装着されるテープカートリッジＣとを備えている。
【００２５】
装置本体２は、装置ケース３により筐体が形成されている。装置ケース３の前半部上面には、操作部１０１を構成するキーボード４が配設されている。装置ケース３の後半部上面の左部には、テープカートリッジＣを着脱自在に装着することができるカートリッジ装着部２０が、カートリッジケース３３の外形に略相似形状で窪んで形成されている。
【００２６】
カートリッジ装着部２０の上部には、テープカートリッジＣをカートリッジ装着部２０に着脱する際に開閉する開閉蓋８が設けられている。また、開閉蓋８の表側にはキーボード４からの入力結果などを表示する長方形のディスプレイ９が形成されていると共に、開閉蓋８を閉塞した状態でテープカートリッジＣの装着／非装着を視認するための覗き窓１０が形成されている。
【００２７】
装置ケース３の左側面部には、カートリッジ装着部２０と外部を連通するテープ排出口１１が形成されている。そして、装置本体２の内部には、印刷された印刷テープＴが送られてくるテープ送り方向の下流側となるテープ排出口１１に臨んで、テープカートリッジＣから送り出された印刷テープＴを切断（フルカットまたはハーフカット）するための印刷テープカット装置５０（詳細には、カッタホルダ５１０（図３参照）を含むカット機構部５００）が設置されている。印刷テープＴの印刷が済んだ部分（印刷済み部分）が印刷テープカット装置５０により切断（フルカット）され、テープ排出口１１からテープ片Ｔ１が排出される。
【００２８】
なお、以降の説明において、切断と呼称する場合は、フルカットまたはハーフカットを示し、切断の内容を異ならせる場合には、適宜、フルカットまたはハーフカットと呼称する。
【００２９】
一方、装置ケース３の右側面部には、電源供給のための電源供給口１２と図外のパーソナルコンピュータなどの外部装置と接続するための接続口１３が形成されている。また、図では省略するが、装置ケース３の内部には、テープ印刷装置１を統括制御する制御部を構成する回路基板が搭載されている。
【００３０】
カートリッジ装着部２０には、発熱素子を有しヘッドカバー２４に覆われた印刷ヘッド２２と、テープカートリッジＣの印刷テープＴおよびインクリボンＲを送るためのプラテン駆動軸（図示省略）および巻取り駆動軸（図示省略）が突設されている。また、カートリッジ装着部２０の裏側（内部）には、プラテン駆動軸および巻取り駆動軸を駆動する印刷送りモータ（図示省略）やギヤ列（図示省略）などが内蔵されている。
【００３１】
上記のプラテン駆動軸、巻取り駆動軸、印刷送りモータおよびギヤ列などを有して、テープカートリッジＣから繰り出された印刷テープＴを送りながら印刷を行なう印刷機構が構成されている。また、印刷送りモータやギヤ列の下方には、印刷テープカット装置５０を構成するホルダ駆動部６００（図３参照）などが構成されている。
【００３２】
テープカートリッジＣを上記のカートリッジ装着部２０に装着すると、テープカートリッジＣの貫通開口３４にヘッドカバー２４（印刷ヘッド２２）が差し込まれると共に、プラテンローラ３５およびリボン巻取りリール３２にプラテン駆動軸および巻取り駆動軸がそれぞれ係合する。この状態で、開閉蓋８を閉塞すると、これに連動して、印刷ヘッド２２が印刷テープＴおよびインクリボンＲを挟み込んでプラテンローラ３５に当接し、印刷待機状態となる。
【００３３】
そして、印刷機構が動作することにより、プラテンローラ３５およびリボン巻取りリール３２を駆動して印刷テープＴおよびインクリボンＲを送りながら、上記のキーボード４などから入力された文字情報などの入力データに基づいて、印刷ヘッド２２により印刷が行なわれる。印刷後、印刷テープＴのみがテープカートリッジＣのテープ送出口３６を介してテープ排出口１１から装置本体２外部に送り出され、インクリボンＲはリボン巻取りリール３２に巻き取られるようになっている。
【００３４】
なお、プラテンローラ３５により、送り出された印刷済みの印刷テープＴは、印刷済み部分を切断する印刷テープカット装置５０のカット機構部５００（詳細にはカッタホルダ５１０に有するテープ送り切欠口５１２（図３参照））に臨むように送られる。
【００３５】
なお、カートリッジ装着部２０の隅部には、複数のマイクロスイッチで構成され、印刷テープＴの種別を識別するためのテープ識別センサ（図示省略）が設けられている。
【００３６】
また、印刷テープＴは、裏面に粘着材層が設けられた樹脂製の記録テープＳｒと、この粘着材層に貼付された樹脂製の剥離テープＳｐとから構成されている。印刷テープＴは、記録テープＳｒを外側にし、かつ剥離テープＳｐを内側にしてロール状に巻回されてカートリッジケース３３内に収容されている。テープカートリッジＣに収容されている印刷テープＴのテープ幅は１２ｍｍ，２４ｍｍなど複数種類あり、カートリッジケース３３の裏面には、小さな複数の被検出孔（図示省略）が形成されており、上記のテープ識別センサによってこの複数の被検出孔が識別され、印刷テープＴの種別を識別するようになっている。
【００３７】
図３は、切断待機位置における印刷テープカット装置の全体構成を示す図であり、同図（ａ）は、平面図を示し、同図（ｂ）は、側面図を示す。なお、図３（ａ）は、テープ印刷装置１の右側を図面上部となるように配置し、テープ印刷装置１の上面から、装置本体２内部に設置した印刷テープカット装置５０を見た場合の概平面図を示している。また、図３（ｂ）は、図３（ａ）に対応して、テープ印刷装置１の左側面から印刷テープカット装置５０を見た場合の概側面図を示している。図３を参照して、印刷テープカット装置５０の構成を説明する。
【００３８】
図３に示すように、印刷テープカット装置５０は、カット機構部５００とホルダ駆動部６００とを有して構成されている。
【００３９】
カット機構部５００の構成を説明する。
カット機構部５００は、カッタホルダ５１０とフルカッタ刃５２０とハーフカッタ刃５３０とフルカット用テープ押え部５４０とハーフカット用テープ押え部５５０とハーフカッタ受部５８０とを有して構成されている。
【００４０】
そして、カッタホルダ５１０は、側面視略矩形状で平面視略板状に形成されるカッタホルダ本体５１１と、カッタホルダ本体５１１の側面略中央部で上方向に開口を有する略Ｕ字状に切り欠いて形成されるテープ送り切欠口５１２とを有している。そして、カッタホルダ本体５１１は、側面下方の２つのコーナ部に、テープ送り方向の上流側に突き出るように延設された係止突片５１３，５１４を有している。なお、テープ送り切欠口５１２は、その略中央部に、テープ送り方向の上流側から送り出されてくる印刷済みの印刷テープＴを案内している。
【００４１】
カッタホルダ本体５１１は、テープ送り方向下流側に、テープ送り切欠口５１２に臨み、印刷テープＴをフルカットするフルカッタ刃５２０が設置され保持している。フルカッタ刃５２０は、本実施形態では、６５°の傾きを持つ平行四辺形薄板形状の傾刃で構成され、刃先５２１を上向きにして設置されている。また、フルカッタ刃５２０は、取付け外面５１５から所定の距離を有して刃先５２１を突出させて設置されている。なお、所定の距離とは、フルカッタ刃５２０で印刷テープＴをフルカットする際に、印刷テープＴと当接しない距離としている。
【００４２】
また、カッタホルダ本体５１１には、フルカッタ刃５２０に隣接してテープ送り方向下流側に、印刷テープＴをフルカットする際にテープ排出口１１の側面部に構成するフルカッタ受部１１ａとの間に印刷テープＴを押圧するフルカット用テープ押え部５４０が設置されている。このフルカット用テープ押え部５４０は、板状のテープ押え部材５４１と、テープ押え部材５４１を付勢するテープ押えバネ５４２とを有して構成され、テープ押え部材５４１は、テープ押えバネ５４２に付勢された状態で、スライド自在に設置されている。
【００４３】
また、カッタホルダ本体５１１は、テープ送り方向下流側に、フルカッタ刃５２０に対向して、テープ送り切欠口５１２に臨み、印刷テープＴをハーフカットするハーフカッタ刃５３０が設置され保持している。ハーフカッタ刃５３０は、本実施形態では、矩形の薄板形状で構成されて設置されている。
【００４４】
この構成により、フルカッタ刃５２０とハーフカッタ刃５３０とは、カッタホルダ本体５１１のテープ送り方向下流側に、印刷テープＴを挟んで対向し、略直線状に配置される形態となる。また、フルカッタ刃５２０とハーフカッタ刃５３０とは、装置ケース３に形成したテープ排出口１１に臨む形態となる。
【００４５】
また、ハーフカッタ刃５３０の刃先５３１は、印刷テープＴの印刷面に対して略平行に設置されている。そして、ハーフカッタ刃５３０は、取付け外面５１６から所定の距離を有して刃先５３１を突出させて設置されている。なお、所定の距離とは、ハーフカッタ刃５３０で印刷テープＴをハーフカットする際に、印刷テープＴと当接しない距離としている。
【００４６】
また、カッタホルダ本体５１１は、テープ送り方向上流側に、ハーフカッタ刃５３０に相対して、印刷テープＴをハーフカットする際にハーフカッタ受部５８０（後述する）との間に印刷テープＴを押圧するハーフカット用テープ押え部５５０が設置されている。このハーフカット用テープ押え部５５０は、板状のテープ押え部材５５１と、テープ押え部材５５１を付勢するテープ押えバネ５５２とを有して構成され、テープ押え部材５５１は、テープ押えバネ５５２に付勢された状態で、スライド自在に設置されている。
【００４７】
ハーフカッタ受部５８０は、ハーフカッタ受部材５８１と受部駆動部５８２とを有して構成されている。ハーフカッタ受部材５８１は、板状の部材で構成され、受部駆動部５８２により駆動される。また、受部駆動部５８２は、本実施形態では、いわゆるソレノイド（図示省略）と、ソレノイドが駆動（動作）することによるプランジャ（図示省略）の動作をハーフカッタ受部材５８１に伝達する伝達部（図示省略）とを有して構成されている。
【００４８】
また、ハーフカッタ受部５８０（ハーフカッタ受部材５８１および受部駆動部５８２）は、カッタホルダ５１０に対して、テープ送り方向上流側に設置されている。そして、ハーフカットの動作開始時に、スイッチ信号により、受部駆動部５８２が動作することにより、ハーフカッタ受部材５８１は、テープ送り方向上流側から下流側の方向で、ハーフカッタ刃５３０に対して略直行する方向に移動する。なお、ハーフカットの動作終了時には、ハーフカッタ受部材５８１は、受部駆動部５８２が動作することにより、逆の動作（移動）を行なう。
【００４９】
すなわち、ハーフカッタ受部材５８１は、受部駆動部５８２により、ハーフカッタ刃５３０に略直行する方向に進退自在に動作する。そして、ハーフカッタ受部材５８１は、ハーフカッタ刃５３０がハーフカットする場合には移動（進出）を行ない、受部としての動作を行なう。また、ハーフカッタ受部材５８１は、フルカッタ刃５２０がフルカットする場合には逆の移動（後退）を行なう。
【００５０】
カッタホルダ本体５１１の端面５１７，５１８には、カッタホルダ５１０を切断待機位置に戻すための戻しバネ５６１，５６２が設置され、図示しない固定フレームに各々固定されている。なお、固定フレームは、後述するホルダ駆動部６００を案内および固定している。また、固定フレームは、カッタホルダ本体５１１と共に、カッタホルダ５１０を印刷テープＴに対して垂直方向にスライドさせるための図示しない案内部を備えて構成されている。
【００５１】
ホルダ駆動部６００の構成および動作を説明する。
ホルダ駆動部６００は、ホルダ駆動モータ６１０と伝達ギヤ部６２０とスライド変換部を構成する変換カム６５０とを有して構成されている。なお、ホルダ駆動部６００は、上記の固定フレームに固定され、装置本体２内部において、印刷機構が構成されている下方に構成されている。
【００５２】
そして、駆動源となるホルダ駆動モータ６１０は、主軸６１０ａにウォーム６１１を固定している。また、伝達ギヤ部６２０は、ウォームホイール６２１とクラッチ部６２２とフルカット用伝達ギヤ部６２３とハーフカット用伝達ギヤ部６２４とを有して構成されている。また、スライド変換部を構成する変換カム６５０は、フルカット用変換カム６５１とハーフカット用変換カム６５２とを有して構成されている。
【００５３】
ホルダ駆動モータ６１０は、本実施形態では１つ使用している。また、ホルダ駆動モータ６１０は正逆回転を行なう。
【００５４】
ウォームホイール６２１は、固定フレームに回転自在に組み込まれてウォーム６１１と噛み合う。そして、ホルダ駆動モータ６１０の正逆回転による回転動力をクラッチ部６２２に伝達する。
【００５５】
クラッチ部６２２は、クラッチアーム６２２ａと小ギヤ６２２ｂとクラッチギヤ６２２ｃとを有して構成されている。詳細には、クラッチ部６２２は、ウォームホイール６２１の同軸上で小ギヤ６２２ｂが固定され、かつ、クラッチアーム６２２ａが回動自在に装着されている。そして、クラッチアーム６２２ａの先端部に小ギヤ６２２ｂと噛み合うクラッチギヤ６２２ｃが回転自在に取り付けられている。
【００５６】
なお、クラッチ部６２２は、ホルダ駆動モータ６１０の正逆回転に連動して動力伝達経路を切り替える動作を行なう。本実施形態では、ホルダ駆動モータ６１０の正回転に対して、クラッチ部６２２は、フルカット用伝達ギヤ部６２３に動力伝達経路を切り替えている。また、ホルダ駆動モータ６１０の逆回転に対して、クラッチ部６２２は、ハーフカット用伝達ギヤ部６２４に動力伝達経路を切り替えている。
【００５７】
フルカット用伝達ギヤ部６２３は、カット機構部５００をスライドさせて印刷テープＴをフルカットさせるために、クラッチ部６２２により伝達された動力をフルカット用変換カム６５１に伝達している。
【００５８】
そして、フルカット用伝達ギヤ部６２３は、固定フレームに回転自在に組み込まれている。フルカット用伝達ギヤ部６２３は、詳細には、クラッチギヤ６２２ｃと噛み合う第１ギヤ６２３ａと、第１ギヤ６２３ａと噛み合う第２ギヤ６２３ｂと、第２ギヤ６２３ｂと噛み合う最終段のギヤとなる第３ギヤ６２３ｃとを有して構成されている。
【００５９】
また、第１ギヤ６２３ａと第２ギヤ６２３ｂは各々大小のギヤで構成され、減速されたホルダ駆動モータ６１０の回転が、第３ギヤ６２３ｃを介してフルカット用変換カム６５１を回転させる。
【００６０】
フルカット用変換カム６５１は、本実施形態では、第３ギヤ６２３ｃの同軸上に接続され、第３ギヤ６２３ｃの回転と共に回転するいわゆる回転板カムである。そして、フルカット用変換カム６５１は、略渦巻状の戻し動作部６５１ｂと、戻し動作部６５１ｂの端部どうしを結ぶ直線状のフルカット動作部６５１ａとを連ねたカム形状として構成されている。詳細には、戻し動作部６５１ｂは、略１周にわたって渦巻状に延在し、フルカット動作部６５１ａは、略径方向に延在している。
【００６１】
フルカット用変換カム６５１は、フルカット動作時には、カット機構部５００のカッタホルダ５１０に形成される係止突片５１３にフルカット動作部６５１ａの基部が当接して、第３ギヤ６２３ｃの回転を、カッタホルダ５１０のスライドに変換させる。なお、以降の説明において、フルカットすることを、適宜、フルカット動作と呼称する。
【００６２】
ハーフカット用伝達ギヤ部６２４は、フルカット用伝達ギヤ部６２３と略同様に構成されている。詳細には、ハーフカット用伝達ギヤ部６２４は、カット機構部５００をスライドさせて印刷テープＴをハーフカットさせるために、クラッチ部６２２により伝達された動力をハーフカット用変換カム６５２に伝達している。
【００６３】
そして、ハーフカット用伝達ギヤ部６２４は、固定フレームに回転自在に組み込まれている。ハーフカット用伝達ギヤ部６２４は、クラッチギヤ６２２ｃと噛み合う第１ギヤ６２４ａと、第１ギヤ６２４ａと噛み合う第２ギヤ６２４ｂと、第２ギヤ６２４ｂと噛み合う最終段のギヤとなる第３ギヤ６２４ｃとを有して構成されている。
【００６４】
また、第１ギヤ６２４ａと第２ギヤ６２４ｂは各々大小のギヤで構成され、減速されたホルダ駆動モータ６１０の回転が、第３ギヤ６２４ｃを介してハーフカット用変換カム６５２を回転させる。
【００６５】
ハーフカット用変換カム６５２は、フルカット用変換カム６５１と略同様に構成されている。詳細には、ハーフカット用変換カム６５２は、本実施形態では、第３ギヤ６２４ｃの同軸上に接続され、第３ギヤ６２４ｃの回転と共に回転するいわゆる回転板カムである。そして、ハーフカット用変換カム６５２は、フルカット用変換カム６５１と略同様に、略渦巻状の戻し動作部６５２ｂと、戻し動作部６５２ｂの端部どうしを結ぶ直線状のハーフカット動作部６５２ａとを連ねたカム形状として構成されている。詳細には、戻し動作部６５２ｂは、略１周にわたって渦巻状に延在し、ハーフカット動作部６５２ａは、略径方向に延在している。
【００６６】
ハーフカット用変換カム６５２は、ハーフカット動作時には、カット機構部５００のカッタホルダ５１０に形成される係止突片５１４にハーフカット動作部６５２ａの基部が当接して、第３ギヤ６２４ｃの回転を、カッタホルダ５１０のスライドに変換させる。なお、以降の説明において、ハーフカットすることを、適宜、ハーフカット動作と呼称する。
【００６７】
フルカット用変換カム６５１とハーフカット用変換カム６５２とは、平面形状が略対象となる形態で設置されている。
【００６８】
図３に示すように、カット機構部５００の切断待機位置においては、印刷テープカット装置５０は動作せず、カット機構部５００に設置された戻しバネ５６１，５６２により、カット機構部５００が固定されてスライド動作が停止している状態となっている。なお、以降の説明において、スライドすることを、適宜、スライド動作と呼称する。
【００６９】
カット機構部５００が切断待機位置でスライド動作を停止している状態において、フルカット用変換カム６５１の戻し動作部６５１ｂとフルカット動作部６５１ａは、係止突片５１３がスライドしても接触しない回転位置まで回転した状態で停止している。また、ハーフカット用変換カム６５２も同様に、ハーフカット用変換カム６５２の戻し動作部６５２ｂとハーフカット動作部６５２ａは、係止突片５１４がスライドしても接触しない回転位置まで回転した状態で停止している。なお、変換カム６５０の各々の回転位置は、変換カム６５０の回転位置を検出する図示しない検出スイッチと、ホルダ駆動モータ６１０および図示しない制御部により制御されている。
【００７０】
印刷機構が印刷テープＴに印刷を行なう場合には、カット機構部５００は、切断待機位置に停止している。そして、印刷済みの印刷テープＴは、カッタホルダ５１０に形成されるテープ送り切欠口５１２に臨みながらテープ送り方向下流側に送られる。
【００７１】
図４は、印刷テープカット装置のフルカット動作を示す図であり、同図（ａ）は、平面図を示し、同図（ｂ）は、側面図を示す。図４を参照して、印刷テープカット装置５０のフルカット動作を説明する。
【００７２】
図４に示すように、フルカット動作時には、ホルダ駆動モータ６１０が正回転を行なう。それにより、クラッチ部６２２は、フルカット用伝達ギヤ部６２３にホルダ駆動モータ６１０の動力が伝達するように切り替える。フルカット用伝達ギヤ部６２３の駆動により、フルカット用変換カム６５１のフルカット動作部６５１ａの基部が、切断待機位置（図３参照）での係止突片５１３に当接する。
【００７３】
フルカット動作部６５１ａの基部が、係止突片５１３に当接した後もフルカット用変換カム６５１の回転が進むことにより、係止突片５１３は図示右方向にスライド動作を開始する。すなわち、カット機構部５００（カッタホルダ５１０）が図示右方向にスライド動作を開始する。なお、図示右方向にスライドするとは、テープ印刷装置１の後部から前部の方向にスライドすることを意味する。
【００７４】
更にスライド動作が進むと、フルカッタ刃５２０の刃先５２１が印刷テープＴに当接するのに先行して、フルカット用テープ押え部材５４１の先端面５４１ａが印刷テープＴに当接し、フルカッタ受部１１ａとの間に印刷テープＴを押圧する（押し付ける）。更にスライド動作が進むと、テープ押えバネ５４２に抗しつつフルカット用テープ押え部材５４１は、カッタホルダ５１０に対し相対的にスライドして印刷テープＴを押えた状態を維持する。また、同時に、フルカッタ刃５２０が進み、印刷テープＴを切り込んで行くことにより、印刷テープＴはフルカットされる。なお、フルカッタ刃５２０は、印刷テープＴの剥離テープＳｐ側から切り込んでフルカットしている。
【００７５】
以上のように、印刷テープカット装置５０により、印刷テープＴのフルカット動作が行なわれる。なお、図４に示すのは、印刷テープＴがフルカットされた状態（フルカット動作が終了した状態）を示している。
【００７６】
図５は、印刷テープカット装置のフルカット動作終了後の動作を示す図であり、同図（ａ）は、平面図を示し、同図（ｂ）は、側面図を示す。図５を参照して、印刷テープカット装置５０のフルカット動作終了後の動作を説明する。
【００７７】
図５に示すように、フルカット動作が終了した場合には、フルカット用変換カム６５１の回転が更に進むことにより、係止突片５１３の接触部分がフルカット動作部６５１ａから略渦巻状の戻し動作部６５１ｂに移行する。そして、カット機構部５００は、戻しバネ５６１のばね力により、切断待機位置（図３参照）に向かって図示左方向にスライド動作を開始する。なお、図示左方向にスライドするとは、テープ印刷装置１の前部から後部の方向にスライドすることを意味する。
【００７８】
なお、スライド動作が進むと、同時に、テープ押えバネ５４２も開放されて切断待機位置での状態に戻る。更にスライド動作が進むと、フルカット用テープ押え部材５４１もフルカットした印刷テープＴから離れて行く。そして、切断待機位置に戻りスライド動作を停止する。
【００７９】
なお、カット機構部５００が切断待機位置に達すると、図示しない検出スイッチにより検出され、ホルダ駆動モータ６１０などが制御される。
【００８０】
図６は、印刷テープカット装置のハーフカット動作を示す図であり、同図（ａ）は、平面図を示し、同図（ｂ）は、側面図を示す。図６を参照して、印刷テープカット装置５０のハーフカット動作を説明する。なお、以降の説明において、ハーフカットすることを、適宜、ハーフカット動作と呼称する。
【００８１】
図６に示すように、ハーフカット動作時には、ホルダ駆動モータ６１０が逆回転を行なう。それにより、クラッチ部６２２は、ハーフカット用伝達ギヤ部６２４にホルダ駆動モータ６１０の動力が伝達するように切り替える。ハーフカット用伝達ギヤ部６２４の駆動により、ハーフカット用変換カム６５２のハーフカット動作部６５２ａの基部が、切断待機位置（図３参照）での係止突片５１４に当接する。
【００８２】
ハーフカット動作部６５２ａの基部が、係止突片５１４に当接した後もハーフカット用変換カム６５２の回転が進むことにより、係止突片５１４は図示左方向にスライド動作を開始する。すなわち、カット機構部５００（カッタホルダ５１０）が図示左方向にスライド動作を開始する。なお、図示左方向にスライドするとは、テープ印刷装置１の前部から後部の方向にスライドすることを意味する。
【００８３】
なお、ハーフカット動作が開始した場合には、受部駆動部５８２が駆動（動作）して、ハーフカッタ受部材５８１は、ハーフカッタ刃５３０に対して略直行する方向にテープ送り方向上流側から移動（進出）する。
【００８４】
更にスライド動作が進むと、ハーフカッタ刃５３０の刃先５３１が印刷テープＴに当接するのに先行して、ハーフカット用テープ押え部材５５１の先端面５５１ａが印刷テープＴに当接し、ハーフカッタ受部材５８１との間に印刷テープＴを押圧する（押し付ける）。更にスライド動作が進むと、テープ押えバネ５５２に抗しつつハーフカット用テープ押え部材５５１は、カッタホルダ５１０に対し相対的にスライドして印刷テープＴを押えた状態を維持する。また、同時に、ハーフカッタ刃５３０が進み、印刷テープＴを切り込んで行くことにより、印刷テープＴはハーフカットされる。なお、ハーフカッタ刃５３０は、印刷テープＴの記録テープＳｒ側から切り込んで、若干、剥離テープＳｐに切込み、ハーフカットしている。
【００８５】
以上のように、印刷テープカット装置５０により、印刷テープＴのハーフカット動作が行なわれる。なお、図６に示すのは、印刷テープＴがハーフカットされた状態（ハーフカット動作が終了した状態）を示している。
【００８６】
図７は、印刷テープカット装置のハーフカット動作終了後の動作を示す図であり、同図（ａ）は、平面図を示し、同図（ｂ）は、側面図を示す。図７を参照して、印刷テープカット装置５０のハーフカット動作終了後の動作を説明する。
【００８７】
図７に示すように、ハーフカット動作が終了した場合には、ハーフカット用変換カム６５２の回転が更に進むことにより、係止突片５１４の接触部分がハーフカット動作部６５２ａから略渦巻状の戻し動作部６５２ｂに移行する。そして、カット機構部５００は、戻しバネ５６２のばね力により、切断待機位置（図３参照）に向かって図示右方向にスライド動作を開始する。なお、図示右方向にスライドするとは、テープ印刷装置１の後部から前部の方向にスライドすることを意味する。
【００８８】
また、ハーフカット動作が終了した場合には、同時に、受部駆動部５８２が駆動（動作）して、ハーフカッタ受部材５８１は、逆の移動（後退）を行なう。
【００８９】
そして、スライド動作が進むと、同時に、テープ押えバネ５５２も開放されて切断待機位置での状態に戻る。更にスライド動作が進むと、ハーフカット用テープ押え部材５５１もハーフカットした印刷テープＴから離れて行く。そして、切断待機位置に戻りスライド動作を停止する。
【００９０】
なお、カット機構部５００が切断待機位置に達すると、図示しない検出スイッチにより検出され、ホルダ駆動モータ６１０などが制御される。
【００９１】
上述した、実施形態によれば以下の効果が得られる。
（１）本実施形態の印刷テープカット装置５０によれば、カット機構部５００のカッタホルダ５１０は、フルカッタ刃５２０とハーフカッタ刃５３０とを印刷テープＴを挟んで対向させて略直線状に配置して保持している。そして、ホルダ駆動部６００によりカッタホルダ５１０がスライドする。このカッタホルダ５１０のスライドに連動してフルカッタ刃５２０は印刷済み（印刷後）の印刷テープＴを直行する方向からフルカットする。また、カッタホルダ５１０のスライドに連動してハーフカッタ刃５３０は印刷済みの印刷テープＴを直行する方向からハーフカットする。この構造と動作により、簡易な構成でフルカットおよびハーフカットが可能な印刷テープカット装置５０を実現できる。
【００９２】
また、フルカッタ刃５２０のみならずハーフカッタ刃５３０も印刷テープＴを挟んで対向させて略直線状に配置してカッタホルダ５１０に保持しているため、従来のハサミ形式のフルカッタ刃やハーフカッタ刃などを別々のユニットとして用いる構成に比較して、カット機構部５００をコンパクトに構成できるため、省スペース化が実現できる。また、コンパクトな構成となるため、従来に比べて、部品数も少なく、部品コストおよび組立コストも低減することができる。
【００９３】
（２）本実施形態の印刷テープカット装置５０によれば、フルカッタ刃５２０は、剥離テープＳｐ側から印刷テープＴをフルカットできる構成としているため、フルカッタ刃５２０に対向するハーフカッタ刃５３０は、記録テープＳｒ側からハーフカットできる構成とすることが可能となる。
【００９４】
（３）本実施形態の印刷テープカット装置５０によれば、フルカット用テープ押え部５４０がフルカッタ刃５２０に先行して、印刷テープＴを押圧するため、フルカッタ刃５２０は安定した切込み動作およびフルカットを行なうことができる。
【００９５】
（４）本実施形態の印刷テープカット装置５０によれば、ハーフカッタ受部材５８１は、ハーフカッタ刃５３０に略直行する方向に移動し、また、ハーフカット用テープ押え部５５０は、ハーフカッタ刃５３０の切込み動作に先行して印刷テープＴをハーフカッタ受部材５８１との間で押圧することにより、ハーフカッタ刃５３０は安定した切込み動作およびハーフカットを行なうことができる。
【００９６】
（５）本実施形態の印刷テープカット装置５０によれば、ハーフカッタ受部５８０は、ハーフカッタ受部材５８１と受部駆動部５８２とを有している。そして、受部駆動部５８２により、ハーフカッタ受部材５８１はハーフカッタ刃５３０に略直行する方向に進退自在となる。それによりハーフカッタ受部材５８１は、ハーフカッタ刃５３０がハーフカットする場合には移動（進出）して受部としての動作を行なうことができる。また、ハーフカッタ受部材５８１は、フルカッタ刃５２０がフルカットする場合には逆移動（後退）することで、フルカッタ刃５２０の動作に影響を与えないようにすることができる。
【００９７】
（６）本実施形態の印刷テープカット装置５０によれば、ホルダ駆動部６００は、ホルダ駆動モータ６１０、伝達ギヤ部６２０（ウォームホイール６２１、クラッチ部６２２、フルカット用伝達ギヤ部６２３およびハーフカット用伝達ギヤ部６２４）およびスライド変換部を構成する変換カム６５０（フルカット用変換カム６５１およびハーフカット用変換カム６５２）という簡易な構成で、カッタホルダ５１０をスライド動作させることができる。
【００９８】
（７）本実施形態の印刷テープカット装置５０によれば、伝達ギヤ部６２０は、クラッチ部６２２が、ホルダ駆動モータ６１０の正逆回転に連動して動力伝達経路を切り替えるため、ホルダ駆動モータ６１０を１つ使用することで、カッタホルダ５１０をスライド動作させることができ、印刷テープカット装置５０の小型化および低コスト化が図れる。
【００９９】
（８）本実施形態のテープ印刷装置１によれば、印刷テープカット装置５０と、印刷テープＴをテープカートリッジＣに収容して装着するカートリッジ装着部２０と、テープカートリッジＣから繰り出された印刷テープＴを送りながら印刷を行なう印刷機構とを備えており、フルカットおよびハーフカットが簡易な構成で可能なテープ印刷装置１が実現できる。また、フルカッタ刃５２０のみならずハーフカッタ刃５３０もカッタホルダ５１０に保持した印刷テープカット装置５０（カット機構部５００）により、従来のハサミ形式のフルカッタ刃やハーフカッタ刃などを用いる構成に比較して、コンパクトな構成となるため、省スペース化が可能なテープ印刷装置１が実現できる。
【０１００】
なお、本発明は、上述した実施形態に限定されず、種々の変更や改良などを加えることが可能である。変形例を以下に述べる。
【０１０１】
（変形例１）前記実施形態において、伝達ギヤ部６２０の各種ギヤ構成は、本実施形態に限定されず、適宜構成することができる。
【０１０２】
（変形例２）前記実施形態において、フルカッタ刃５２０は、６５°の傾きを持つ平行四辺形薄板形状の傾刃で構成され、刃先５２１を上向きにして設置されている。しかし、傾刃の角度は切込み易さを考慮して適宜設定することができる。また、刃先５２１の向きも、上向き／下向き、どちらでも良く、適宜設定することができる。
【０１０３】
（変形例３）前記実施形態において、ハーフカッタ受部材５８１を動作させる受部駆動部５８２は、ソレノイドを使用しているが、これに限らず、ハーフカッタ受部材５８１を進退自在に動作させる駆動系を用いることでも良い。
【０１０４】
（変形例４）前記実施形態において、印刷テープカット装置５０のホルダ駆動部６００は、ホルダ駆動モータ６１０、伝達ギヤ部６２０（ウォームホイール６２１、クラッチ部６２２、フルカット用伝達ギヤ部６２３およびハーフカット用伝達ギヤ部６２４）およびスライド変換部を構成する変換カム６５０（フルカット用変換カム６５１およびハーフカット用変換カム６５２）などにより構成されている。しかし、これに限らず、ホルダ駆動部は、ラック、ピニオンおよびホルダ駆動モータ６１０などを有して構成させることでも良い。その場合、カッタホルダ５１０にラックを有し、ホルダ駆動モータ６１０によりピニオンがラックに噛み合う構造としてカッタホルダ５１０をスライド動作させることができる。このような構造にすることで、印刷テープカット装置の構造が更に簡易となり、コンパクトな印刷テープカット装置が実現できる。
【０１０５】
なお、本発明を実施するための最良の形態を、上記記載で開示しているが、本発明は、これに限定されるものではない。すなわち、本発明は、主に特定の実施形態に関して図示し、かつ、説明しているが、本発明の技術的思想および目的の範囲から逸脱することなく、上述した実施形態に対し、詳細な構成部材の形状・材質・数量などにおいて、当業者が様々な変形（変更ならびに改良）を加えることができるものである。従って、詳細な構成部材の形状・材質・数量などにおいて、当業者が様々な変形を加えることにより実施する場合も本発明に含まれるものである。
【図面の簡単な説明】
【０１０６】
【図１】本発明の実施形態に係るテープ印刷装置の斜視図。
【図２】蓋を開いた状態のテープ印刷装置の斜視図。
【図３】切断待機位置における印刷テープカット装置の全体構成を示す図であり、（ａ）は平面図、（ｂ）は側面図。
【図４】印刷テープカット装置のフルカット動作を示す図であり、（ａ）は平面図、（ｂ）は側面図。
【図５】印刷テープカット装置のフルカット動作終了後の動作を示す図であり、（ａ）は平面図、（ｂ）は側面図。
【図６】印刷テープカット装置のハーフカット動作を示す図であり、（ａ）は平面図、（ｂ）は側面図。
【図７】印刷テープカット装置のハーフカット動作終了後の動作を示す図であり、（ａ）は平面図、（ｂ）は側面図。
【符号の説明】
【０１０７】
１…テープ印刷装置、２…装置本体、１１…テープ排出口、２０…カートリッジ装着部、５０…印刷テープカット装置、５００…カット機構部、５１０…カッタホルダ、５２０…フルカッタ刃、５３０…ハーフカッタ刃、５４０…フルカット用テープ押え部、５５０…ハーフカット用テープ押え部、５８０…ハーフカッタ受部、５８１…ハーフカッタ受部材、５８２…受部駆動部、６００…ホルダ駆動部、６１０…ホルダ駆動モータ、６２０…伝達ギヤ部、６５０…スライド変換部を構成する変換カム、Ｃ…テープカートリッジ、Ｓｐ…剥離テープ、Ｓｒ…記録テープ、Ｔ…印刷テープ。
【図１】
2008194870.tif 000003
【図２】
2008194870.tif 000004
【図３】
2008194870.tif 000005
【図４】
2008194870.tif 000006
【図５】
2008194870.tif 000007
【図６】
2008194870.tif 000008
【図７】
2008194870.tif 000009